(57)【要約】【課題】スポンジに洗剤を染み込ませて食器を洗う際に手が滑って食器を落下して破損することがあるのでそれらを防止し、又、両面同時に効率良く食器類、調理器具全般が洗える両面食器洗浄器具です。【解決手段】両面食器洗浄器具本体（１）の柄（２）に固定アーム（３）と稼働アーム（４）と支点ピン（６）とスポンジ取付板（８）とスポンジ抜け防止溝（９）とスポンジ回転防止切込み溝（１０）で構成されている。固定アームと稼動アームのスポンジ取付板にスポンジ（５）をアーム穴（１１）で取り付ける。稼働アームは図４で示す様に開閉（７）することが出来る。又、スポンジは脱着式で、それ自体を単体で洗う事が出来るのでスポンジを清潔に保つことが出来る両面食器洗浄器具です。【選択図】図１
2006305246.tif 000002
【特許請求の範囲】
【請求項１】
両面食器洗浄器具本体（１）の柄（２）に固定アーム（３）と稼働アーム（４）と抜け防止（８）と支点ピン（６）とから成る。固定アームと稼働アームにはスポンジ（５）をアーム穴（１１）で取り付ける。稼働アームは図４で示す様に開閉（７）する事が出来る両面食器洗浄器具です。
【請求項２】
図５で示す様にＵ字型アーム（１２）とスポンジ（５）とで構成した両面食器洗浄器具です。請求項１と同じ効果が得られる。
【請求項３】
図３で示す様に丸型スポンジ（９）と角型スポンジ（１０）とが使用出来きて、スポンジ（５）にはアーム穴（１１）が設てある。両面食器洗浄器具専用スポンジです。
【発明の詳細な説明】
【技術分野】
【０００１】主に食器、調理器具に用いる洗浄器具です。食器の破損防止と綺麗に二面同時に洗える能率的な両面食器洗浄器具です。
【背景技術】
【０００２】単体のスポンジや一本棒にスポンジを取り付けた器具に洗剤を付けて、片面ずつ洗っていた。又、洗剤で食器が滑って破損する事がある。自動洗浄機では乾燥してこびり付いた物や口紅などは、よく落ちないので手洗いをしているのが現状です。
【発明の開示】
【０００３】従来は単体のスポンジに洗剤を染み込ませて使用していた、洗剤で手が滑って落下して食器を破損する事がある。又、洗浄面が片面づつなので能率が悪く、食器類も限定されてしまうので下記の様にした。
１．二つのスポンジに洗剤を染み込ませて食器を挟み込んで両面を同時に洗える様にした。
２．一つの柄付きスポンジ具同様に使用する事も出来る様にした。
３．洗剤を染み込ませたスポンジを直接手で触れないので手荒が少ない。
４．使い安く手首の自由度が大きくなる様にして能率化を計った。
５．ほとんどの食器、調理器具を洗う事が出来る様にした。
【課題を解決するための手段】
【０００４】両面食器洗浄器具本体の柄に固定アームと稼働アームと支点ピンと、抜け防止とから成る。固定アームと稼働アームにはスポンジをアーム穴で取り付ける。稼働アームは図４で示す様に開閉することが出来る。
【発明の効果】
【０００５】今までの棒付きスポンジたわしは底が深い食器類専用に出来ているので日常的な食器全般の洗いには向かない、又、洗剤で手が滑って食器を落下して破損する事がある。両面食器洗浄器具はそれらを解決し、両面同時に洗浄出来る万能洗浄器具です。手首や腕に無理な力がかからないので台所仕事が楽しくなる能率的な新しいスポンジ洗浄器具です。
【発明を実施するための最良の形態】
【実施例】
【０００６】両面食器洗浄器具本体の柄にスポンジを取り付ける固定アームと稼働アームを設ける。洗浄の際に固定アームと稼働アームのスポンジが回転しない様にスポンジ取付部アームは平板型でも図６で示す様に二本棒型でも良い、その平板型、あるいは二本棒型の上部にスポンジ抜け防止溝、もしくはピンが設けてある。食器や調理器具を挟み安くするため稼働アームは開閉する様になっている。洗う際にスポンジで挟みこむので両面が同時に洗える。又、滑って食器や調理器具を手はずす事も無いので落下し無い。スポンジは脱着式で、スポンジが単体で洗えるので衛生的である。
【図面の簡単な説明】
【図１】本発明の全体斜図
【図２】スポンジを取り外した固定アーム部と稼働アーム部の側面図と断面図
【図３】スポンジの形状種類図
【図４】本発明の稼働アームが開く事を示した側面図
【図５】両固定アーム洗浄器具側面図
【図６】棒型アーム図（稼働アームも固定アームもスポンジ取付部は同じ形なので片方のみの平面図）
【符号の説明】
１．両面食器洗浄器具本体            ２．柄
３．固定アーム                      ４．稼働アーム
５．スポンジ                        ６．支点ピン
７．開く事を示す                    ８．抜け止め
９．丸型スポンジ                    １０．角型スポンジ
１１．アーム穴                      １２．Ｕ字型アーム
１３．棒型アーム
【図１】
2006305246.tif 000003
【図２】
2006305246.tif 000004
【図３】
2006305246.tif 000005
【図４】
2006305246.tif 000006
【図５】
2006305246.tif 000007
【図６】
2006305246.tif 000008
【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
両面食器洗浄器具本体（１）の柄（２）に固定アーム（３）と稼働アーム（４）にスポンジ取付板（８）とスポンジ抜け防止溝（９）とスポンジ回転防止切込み溝（１０）と支点ピン（６）とから成る。スポンジ取付板（８）に専用スポンジ（５）をアーム穴（１１）で取り付ける。稼働アームは図４で示す様に開閉（７）する事が出来る両面食器洗浄器具です。
【請求項２】
図２で示すスポンジ取付板（８）にスポンジ抜け防止溝（９）を設けてスポンジ（５）が抜けにくくすると共にスポンジが回転しない様にスポンジ回転防止切込み溝（１０）が設けてあるスポンジ取付板です。
【請求項３】
図３で示す様に丸型スポンジ（１２）と角型スポンジ（１３）が使用出来きて、二種類のスポンジを総称して（５）と呼ぶ、スポンジ（５）には取付様のアーム穴（１１）が設てある。両面食器洗浄器具専用スポンジです。
【手続補正２】
【補正対象書類名】明細書
【補正対象項目名】全文
【補正方法】変更
【補正の内容】
【発明の詳細な説明】
【技術分野】
【０００１】主に食器、調理器具に用いる洗浄器具です。食器の破損防止と綺麗に二面同時に洗える万能両面食器洗浄器具です。
【背景技術】
【０００２】単体のスポンジや一本棒にスポンジを取り付けた器具に洗剤を付けて、片面ずつ洗っていた。又、洗剤で食器が滑って破損する事がある。自動洗浄機では少数の食器やこびり付いた食べ残こし、口紅などは洗浄に不向きである。
【発明の開示】
【０００３】従来は単体のスポンジに洗剤を染み込ませて使用していた、洗剤で手が滑って落下して食器を破損する事がある。又、洗浄面が片面づつなので能率が悪く、食器類も限定されてしまうので下記の様にした。
１．二つのスポンジに洗剤を染み込ませて食器を挟み込んで両面を同時に洗える様にした。
２．一つの柄付きスポンジ具同様に使用する事も出来る様にした。
３．洗剤を染み込ませたスポンジを直接手で触れないので手荒が少ない。
４．使い安く手首の自由度が大きく、特に大きい器が楽に洗える様にして能率化を計った。
５．ほとんどの食器、調理器具を洗う事が出来る様にした。
【課題を解決するための手段】
【０００４】両面食器洗浄器具本体の柄に固定アームと稼働アームとスポンジ取付板とスポンジ抜け防止溝とスポンジ回転防止切込み溝と支点ピンから成り。稼働アームが図４で示す様に開閉することが出来る。スポンジの間に挟んで使用することも、閉じた状態で内面のみを洗うことも出来る万能洗浄器具である。
【発明の効果】
【０００５】今までの棒付きスポンジたわしは底が深い食器類専用に出来ているので日常的な食器全般の洗いには向かない、又、洗剤で手が滑って食器を落下して破損する事がある。両面食器洗浄器具はそれらを解決し、両面同時に洗浄出来る万能洗浄器具です。手首や腕に無理な力がかからないので台所仕事が楽しくなる能率的な新しいスポンジ洗浄器具です。
【発明を実施するための最良の形態】
【実施例】
【０００６】両面食器洗浄器具本体の柄にスポンジを取り付ける固定アームと稼働アームを設それぞれにスポンジ取付板とワンタッチでスポンジが交換出来て抜け難い波状のスポンジ抜け防止み溝と洗浄中にスポンジガ回転しないためのスポンジ回転防止切込溝を設けてある。
食器や調理器具を挟み安くするため稼働アームは開閉する様になっている。洗う際にスポンジで挟みこむので両面が同時に洗える。又、滑って食器や調理器具を手はずす事も無いので落下し無い。スポンジは脱着式なので、汚れたらスポンジを単体で洗えるので衛生的である。
【図面の簡単な説明】
【図１】本発明の全体斜図
【図２】スポンジを取り外した固定アーム部と稼働アーム部とスポンジ取付板の側面図と断面図
【図３】スポンジの形状種類図
【図４】本発明の稼働アームが開く事を示した側面図
【符号の説明】
１．両面食器洗浄器具本体              ２．柄
３．固定アーム                        ４．稼働アーム
５．スポンジ                          ６．支点ピン
７．開く事を示す                      ８．スポンジ取付板
９．スポンジ抜け止溝                １０．スポンジ回転防止切込み溝
１１．アーム穴                        １２．丸形スポンジ
１３．角型スポンジ
【手続補正３】
【補正対象書類名】図面
【補正対象項目名】全図
【補正方法】変更
【補正の内容】
【図１】
2006305246.tif 000009
【図２】
2006305246.tif 000010
【図３】
2006305246.tif 000011
【図４】
2006305246.tif 000012